(57)【要約】      （修正有）【課題】自転車ランプのブラケットバンド構造の提供。【解決手段】ブラケット３０の両側および中間においてランプ本体１０の凸型パーツ２０結合に用いるスライド溝３１およびサポートプレート３３が設けられ、当該ブラケットの底部には締め付けプレート４０が設けられ、当該ブラケットがサポートプレートに対応する一端にはフック３７が設けられ、別の一端にはレバー５０が設けられ、当該ブラケットとレバーはそれぞれパッチン止め用のオス部５３とメス部３９を具備しており、当該レバーには長さ調節可能のラバーバンド６０が通され、当該ラバーバンドがフックに呼応する箇所には止め金が設けられており、装着に当たり、ラバーバンドを自転車のハンドルバーに巻き付け、止め金をフックに掛けて、ラバーバンドを強く引き、レバーをブラケット上にパッチン止めすることにより装着動作を完了するような自転車ランプのブラケットバンド構造。【選択図】図２
0003118072.tif 000002
【実用新案登録請求の範囲】
【請求項１】
凸型パーツを具備するランプ本体底面が、当該凸型パーツ２０によってブラケットバンドに装着され、当該ブラケットバンドにはブラケット、締め付けプレート、レバー、ラバーバンド、止め金具が含まれ、そのうち：
当該ブラケットには凸型パーツが通過できるスライド溝と挿入口が設けられ、当該挿入口の底部にはサポートプレートが設けられ、当該サポートプレートは弾性作用により凸型パーツを固定する頂部ストッパーと、押すだけで頂部ストッパーが凸型パーツ固定を解除するような押え部を有しており、当該ブラケットの挿入口の一端には止め金具を掛けるフックが設けられ、別の一端にはレバー装着用のシャフト受け溝を具備し、当該ブラケットがレバーをパッチン止めにする箇所には雌型のパッチン止めが設けられており、
当該締め付けプレートは上述のブラケット底部に設けられており、
当該レバーには、上述のブラケットのシャフト受け溝と雌型のパッチン止めに対応する箇所においてシャフトと雄型のパッチン止めが設けられ、当該レバーにはラバーバンドを通すためのブレースと通し穴が設けられており、
当該ラバーバンドの一端には止め金具が設けられ、余ったラバーバンドはベルト止めに収められ、
当該止め金具は上述ブラケットのフックに掛けられ、これによって上述の締め付けプレートとラバーバンドが自転車のハンドルバーを緊密に包み込むようなことを特徴とする、自転車ランプのブラケットバンド構造。
【請求項２】
請求項１記載の自転車ランプのブラケットバンド構造において、当該凸型パーツの頭部外周に複数の外周溝が施され、当該ブラケットの挿入口深部に施された溝と噛合って位置が固定されるようなことを特徴とする、自転車ランプのブラケットバンド構造。
【請求項３】
請求項１記載の自転車ランプのブラケットバンド構造において、当該ブラケットと締め付けプレートの間において相互に結合するための中空部と嵌合突起を備えておりことを特徴とする、自転車ランプのブラケットバンド構造。
【請求項４】
請求項１記載の自転車ランプのブラケットバンド構造において、当該ブラケットのシャフト受け溝にはレバーのシャフトを圧入するための挿入口があり、弾性作用でそれを固定する止めフックが設けられているようなことを特徴とする、自転車ランプのブラケットバンド構造。
【請求項５】
請求項１記載の自転車ランプのブラケットバンド構造において、当該締め付けプレートとラバーバンドがゴム製であり、当該締め付けプレートとラバーバンド上には複数列の滑り止めが施されているようなことを特徴とする、自転車ランプのブラケットバンド構造。
【請求項６】
請求項１記載の自転車ランプのブラケットバンド構造において、当該レバーのシャフト外側にシャフト止めを有するようなことを特徴とする、自転車ランプのブラケットバンド構造。
【請求項７】
請求項１記載の自転車ランプのブラケットバンド構造において、当該ランプ本体の電球がLED であることを特徴とする、自転車ランプのブラケットバンド構造。
【請求項８】
請求項１記載の自転車ランプのブラケットバンド構造において、当該ランプ本体には三段階切換式スイッチが設けられ、第一回目にスイッチを押すとLED が全部点灯し、二回目にスイッチを押すとLED が点滅し、三回目にスイッチを押すとすべてのLED が消灯されるようなことを特徴とする、自転車ランプのブラケットバンド構造。
【考案の詳細な説明】
【技術分野】
【０００１】
本考案は懐中電灯と自転車用ランプという二種類の用途を備え、誰にでもできる簡単な着脱技術を提供する自転車ランプのブラケットバンド構造である。
【背景技術】
【０００２】
懐中電灯と自転車用ランプを一体化して二種の用途を兼ねるひとつの製品と成し、同時に迅速、簡単に互換可能な製品は現在までのところ市場において見受けられない。
【考案の開示】
【考案が解決しようとする課題】
【０００３】
本考案の目的は、当該ランプ本体の底面に複数の外周溝を具備する凸型パーツを設け、当該ブラケットの左右両側面において“コの字”型と“逆コの字”型のスライド溝を互いに向き合うように設け、ランプ本体の凸型パーツを前方の挿入口からスライド溝にスライドさせて嵌め込み、同時に当該凸型パーツを固定するために、当該ブラケット上にあって一対のスライド溝の中間の位置に凸型パーツの外周溝と噛合わせる溝および弾性サポートプレートを設け、当該サポートプレートは凸型パーツを支える頂部ストッパーを具備するのに加えて、更に下方に押すための押え部が外部に向けて伸びており、ランプ本体の凸型パーツがスライド溝に嵌め込まれるに当たり、サポートプレートの頂部ストッパーにより直接固定されることになる。ランプ本体を取外して懐中電灯として使用するときには、サポートプレートの押え部を押えれば、凸型パーツは頂部ストッパーによる固定を免れることから、至って簡単迅速な着脱作業。
【０００４】
本考案のもう一つの目的は、ブラケット円弧部の下方にはラバー製の締め付けプレートを設け、ブラケットの前後両端にはフックとレバーを設ける。当該レバーには一本のラバーバンドを巻き付け、当該ラバーバンドはハンドルバーの太さによって長さ調節可能であり、当該ラバーバンドがフックに対応する部分には止め金具が設けられ、止め金具をフックに引っ掛けることにより、締め付けプレートとラバーバンドでハンドルバーの包み込む状態とさせ、同時に当該ブラケットとレバーの間にはパッチン止め用のオス部とメス部を設ける。装着に当たり、先にラバーバンドを自転車のハンドルバーに巻き付け、止め金具をフックに掛けて、ラバーバンドを強く引っ張り、レバーを上方に引き上げてパッチン止めにし、ラバーバンドの余った部分をベルト止めに差し込んでブラケット装着を完了する。解除に当たっては、装着時の作業順序を逆に行うだけでよく、自転車のハンドルバーにおいてブラケットバンド着脱の簡潔化を可能ならしめる。
【課題を解決するための手段】
【０００５】
請求項１の考案は、凸型パーツを具備するランプ本体底面が、当該凸型パーツ２０によってブラケットバンドに装着され、当該ブラケットバンドにはブラケット、締め付けプレート、レバー、ラバーバンド、止め金具が含まれ、そのうち：
当該ブラケットには凸型パーツが通過できるスライド溝と挿入口が設けられ、当該挿入口の底部にはサポートプレートが設けられ、当該サポートプレートは弾性作用により凸型パーツを固定する頂部ストッパーと、押すだけで頂部ストッパーが凸型パーツ固定を解除するような押え部を有しており、当該ブラケットの挿入口の一端には止め金具を掛けるフックが設けられ、別の一端にはレバー装着用のシャフト受け溝を具備し、当該ブラケットがレバーをパッチン止めにする箇所には雌型のパッチン止めが設けられており、
当該締め付けプレートは上述のブラケット底部に設けられており、
当該レバーには、上述のブラケットのシャフト受け溝と雌型のパッチン止めに対応する箇所においてシャフトと雄型のパッチン止めが設けられ、当該レバーにはラバーバンドを通すためのブレースと通し穴が設けられており、
当該ラバーバンドの一端には止め金具が設けられ、余ったラバーバンドはベルト止めに収められ、
当該止め金具は上述ブラケットのフックに掛けられ、これによって上述の締め付けプレートとラバーバンドが自転車のハンドルバーを緊密に包み込むようなことを特徴とする、自転車ランプのブラケットバンド構造としている。
請求項２の考案は、請求項１記載の自転車ランプのブラケットバンド構造において、当該凸型パーツの頭部外周に複数の外周溝が施され、当該ブラケットの挿入口深部に施された溝と噛合って位置が固定されるようなことを特徴とする、自転車ランプのブラケットバンド構造としている。
請求項３の考案は、請求項１記載の自転車ランプのブラケットバンド構造において、当該ブラケットと締め付けプレートの間において相互に結合するための中空部と嵌合突起を備えておりことを特徴とする、自転車ランプのブラケットバンド構造としている。
請求項４の考案は、請求項１記載の自転車ランプのブラケットバンド構造において、当該ブラケットのシャフト受け溝にはレバーのシャフトを圧入するための挿入口があり、弾性作用でそれを固定する止めフックが設けられているようなことを特徴とする、自転車ランプのブラケットバンド構造としている。
請求項５の考案は、請求項１記載の自転車ランプのブラケットバンド構造において、当該締め付けプレートとラバーバンドがゴム製であり、当該締め付けプレートとラバーバンド上には複数列の滑り止めが施されているようなことを特徴とする、自転車ランプのブラケットバンド構造としている。
請求項６の考案は、請求項１記載の自転車ランプのブラケットバンド構造において、当該レバーのシャフト外側にシャフト止めを有するようなことを特徴とする、自転車ランプのブラケットバンド構造としている。
請求項７の考案は、請求項１記載の自転車ランプのブラケットバンド構造において、当該ランプ本体の電球がLED であることを特徴とする、自転車ランプのブラケットバンド構造としている。
請求項８の考案は、請求項１記載の自転車ランプのブラケットバンド構造において、当該ランプ本体には三段階切換式スイッチが設けられ、第一回目にスイッチを押すとLED が全部点灯し、二回目にスイッチを押すとLED が点滅し、三回目にスイッチを押すとすべてのLED が消灯されるようなことを特徴とする、自転車ランプのブラケットバンド構造としている。
【考案の効果】
【０００６】
本考案は二種の用途を兼備する、互換可能な自転車ランプのブラケットバンド構造を完成する。
【考案を実施するための最良の形態】
【０００７】
図１、図２に示すのは、本考案におけるランプ本体とブラケットバンドの立体組合せ図および立体分解図であり、図３は本考案におけるブラケットバンドの立体組合せ図、図４、図５は本考案における右側から見た局部断面組合せ図および図４のB-B 面における断面組み合せ図である。自転車ランプのブラケットバンド構造において、ランプ本体１０、凸型パーツ２０、ブラケット３０、締め付けプレート４０、レバー５０、ラバーバンド６０、止め金具７０が含まれる。
【０００８】
当該ランプ本体１０には三段階切換式スイッチ１１が設けられ、三個のLED ランプ１２を点灯または消灯でき、第一回目にスイッチ１１を押すとLED １２が全部点灯し、二回目にスイッチ１１を押すとLED １２が点滅し、三回目にスイッチ１１を押すとすべてのLED が消灯され、当該ランプ本体１０底部には非円形の接合溝１３とナット１４が設けられ、凸型パーツ２０との固定結合に用いられる。
【０００９】
当該凸型パーツ２０において外経が小さい方の頂部には非円形の接合部２１が設けられ、当該ランプ本体１０の接合溝１３とナット１４と接合、一体化され、結合ユニットP を凸型パーツ２０底部の通し穴２２から貫通させて、ランプ本体１０のナット１４に直接締め付け固定し、当該凸型パーツ２０の外経が大きい方の頭外周面には複数個の外周溝が切られており、ブラケット３０との接合の用に供される。
【００１０】
当該ブラケット３０は概ね円弧の形状を呈しており、当該ブラケット３０上面の左右両側面において“コの字”型と“逆コの字”型のスライド溝３１が互いに向き合うように設けられ、当該スライド溝３１二個に挟まれた箇所には凸型パーツ２０の外経の小さい方が通過できるだけの幅があり、当該スライド溝３１自身には凸型パーツ２０の外経の大きい方が両スライド溝３１内にスライドイン可能なだけの幅があり、当該ブラケット３０の上部後方には溝３２が設けられ、これと凸型パーツ２０の外周溝２３とにより噛合せの状態として凸型パーツ２０が任意に動かないようにし、当該ブラケット３０の上部には弾性を有するサポートプレート３３が配され、当該サポートプレート３３は頂部ストッパー３４を具備しており、凸型パーツ２０に対して位置固定の作用を発揮して凸型パーツ２０をスライド溝から脱落しないようにして、当該サポートプレートが外部に向けて伸びた部分には押え部３５があり、ここで頂部ストッパー３４と凸型パーツ２０の結合関係を解除して凸型パーツ２０はスライド溝３１から取り出せることになり、当該ブラケット３０底部の円弧内側には中空部３６を具備し、ここで締め付けプレート４０と結合され、当該ブラケット３０の前方にはフック３７を具備し、ここに止め金具７０を掛け、当該ブラケット３０の後方にはレバー５０取り付け用のシャフト受け溝３８を具備し、当該シャフト受け溝３８には挿入口３８１があり、しかも挿入口３８１の一面にはレバー５０脱落を回避させるための弾性を有する止めフック３８２を具備し、当該ブラケット３０後方の左右両側には雌型のパッチン止め３９を具備しており、ここでレバー５０とパッチン止めにされる。
【００１１】
当該締め付けプレート４０は強靭性と滑り止め作用を有する一体成形のラバー製であり、当該締め付けプレート４０は概ね円弧状を呈しており、当該締め付けプレート４０はその上面においてブラケット３０の中空部３６に対応する箇所には嵌合突起４１を具備し、これを中空部３６に嵌め込むことによりブラケット３０底部に装着され、当該締め付けプレート４０底面には複数列の滑り止め４２を具備し、自転車８０のハンドルバー８１に固定されたときの滑り止めとする。
【００１２】
当該レバー５０は概ね“かすがい型”に設計されており、当該レバー５０の左右両側においてブラケット３０のシャフト受け溝３８に対応する箇所には外経が比較的小さいシャフト５１と外経が大きいシャフト止め５２を具備し、シャフト５１をブラケット３０の挿入口３８１からシャフト受け溝３８に圧入し、止めフック３８２の弾性作用でシャフト５１を固定し、当該レバー５０左右両側においてブラケット３０の雌型のパッチン止め３９に対応する箇所に雄型のパッチン止め５３が設けられ、当該レバー５０の中間にはブレース５４を具備し、これによってラバーバンド６０を通すための通し穴５５を形成しておする。
【００１３】
当該ラバーバンド６０は強靭性と滑り止め作用を有する一体成形のラバー製であり、当該ラバーバンド６０の一端には止め金具通し穴６１を設けて止め金具７０を取り付け、当該ラバーバンド６０における止め金具通し穴６１付近の箇所にはベルト止め６２を設け、当該ラバーバンド６０の別の一端はレバー５０のブレース５４を経由して通し穴５５に通され、さらに止め金具７０を経てベルト止め６２に収められ、当該ラバーバンド６０の表面には複数列の滑り止め６３が設けられ、自転車８０のハンドルバー８１に固定されたときの滑り止めとする。
【００１４】
当該止め金具７０は金属製であり、当該止め金具７０はラバーバンド６０の一端である止め金具通し穴６１に取り付けられ、これによりブラケット３０前方のフック３７に掛けられ、ラバーバンド６０と締め付けプレート４０で自転車８０のハンドルバー８１を包み込むリング形状を形成させるものである。
【００１５】
図６が示すには、本考案におけるランプ本体装着の状態図である。ランプ本体１０装着に当たり、サポートプレート３３の押え部３５を押え、ランプ本体１０底部の凸型パーツ２０をブラケット３０前方の挿入口からスライド溝３１内へスライドインさせ、同時にサポートプレート３３の頂部ストッパー３４を利用して凸型パーツ２０を緊密に固定する。
【００１６】
図７が示すのは、本考案におけるランプ本体取外しの状態図である。ランプ本体１０取外しに当たっては、サポートプレート３３の押え部３５を押え、ランプ本体１０底部の凸型パーツ２０と頂部ストッパー３４の結合関係を解除して、ランプ本体１０の取外し作業を完了する。
【００１７】
図８、図９が示すのは、本考案における自転車用ランプと懐中電灯に使用する場合の状態図である。本体ランプ１０を装着して自転車用ランプとし、それを取外すことにより懐中電灯として、使用者をして二種の用途に使用することを可能たらしめている。
【００１８】
図１０から図１３に示すのは、本考案におけるブラケット着脱時の連続動作の状態図である。ブラケット３０装着に当たり、まずラバーバンド６０を自転車８０のハンドルバー８１に巻き付け、止め金７０をブラケット３０のフック３７上に掛け、ラバーバンド６０を強く引き、並びにレバーを上方に持ち上げてパッチン止めにして、さらに余ったラバーバンド６０をベルト止め６２に差込んで、ブラケット３０装着動作を完了する。解除に当たっては、装着時における作業手順を逆に行うだけで、ブラケット３０解除動作を完了するので、使用者は自転車８０のハンドルバー８１上におけるブラケット３０着脱を迅速且つ簡単に行えることになる。
【図面の簡単な説明】
【００１９】
【図１】本考案におけるランプ本体とブラケットバンドの組合せ透視図。
【図２】本考案におけるランプ本体とブラケットバンドの立体分解図。
【図３】本考案におけるブラケットバンドの透視図。
【図４】本考案における右側面からの組合せ断面図。
【図５】図４におけるB-B 面の組合せ断面図。
【図６】本考案におけるランプ本体装着時の状態図。
【図７】本考案におけるランプ本体解除時の状態図。
【図８】本考案において自転車用ランプとして使用する場合の透視図。
【図９】本考案において懐中電灯として使用する場合の透視図。
【図１０】本考案におけるブラケット着脱時の連続動作の状態図。
【図１１】本考案におけるブラケット着脱時の連続動作の状態図。
【図１２】本考案におけるブラケット着脱時の連続動作の状態図。
【図１３】本考案におけるブラケット着脱時の連続動作の状態図。
【符号の説明】
【００２０】
１０    ランプ本体      １１    スイッチ
１２    LED             １３    接合溝
１４    ナット
２０    凸型パーツ      ２１    接合部
２２    通し穴          ２３    外周溝
P     結合ユニット
３０    ブラケット          ３１    スライド溝
３２    溝                  ３３    サポートプレート
３４    頂部ストッパー      ３５    押え部
３６    中空部              ３７    フック
３８    シャフト受け溝      ３８１  挿入口
３８２  止めフック        ３９    雌型のパッチン止め
４０    締め付けプレート    ４１    嵌合突起
４２    滑り止め
５０    レバー              ５１    シャフト
５２    シャフト止め        ５３    雄型のパッチン止め
５４    ブレース            ５５    通し穴
６０    ラバーバンド        ６１    止め金具通し穴
６２    ベルト止め          ６３    滑り止め
７０    止め金具
８０    自転車              ８１    ハンドルバー
【図１】
0003118072.tif 000003
【図２】
0003118072.tif 000004
【図３】
0003118072.tif 000005
【図４】
0003118072.tif 000006
【図５】
0003118072.tif 000007
【図６】
0003118072.tif 000008
【図７】
0003118072.tif 000009
【図８】
0003118072.tif 000010
【図９】
0003118072.tif 000011
【図１０】
0003118072.tif 000012
【図１１】
0003118072.tif 000013
【図１２】
0003118072.tif 000014
【図１３】
0003118072.tif 000015